(57)【要約】【課題】内容物を衝撃からより確実に保護でき，収納容積も大きい多層容器を提供することにある。【解決手段】開口部１０にキャップ４を取り付けることにより密閉される容器本体２の内部に内容器３を配置した多層容器１であって，内容器３は，開口部１０の内側に配置される内開口部１０と，この内開口部１０よりも容器本体２の内部に配置される内容器本体部２６（２３，２４，２５）からなる。内容器本体部２６は，開口部１０よりも大きい径を有しており，内容器本体部２６の外面には，容器本体２の内面に接するように突出する突部２７，２８が複数箇所に形成されている。内容器本体部２６が容器本体２の内部において膨らんだ状態になっているので，内容物の収納容積を比較的大きく確保することができる。しかも，内容器３が容器本体２内から抜け出す心配もない。【選択図】図１
2004345709.tif 000002
【特許請求の範囲】
【請求項１】
開口部にキャップを取り付けることにより密閉される容器本体の内部に内容器を配置した多層容器であって，
前記内容器は，前記開口部の内側に配置される内開口部と，この内開口部よりも前記容器本体の内部に配置される内容器本体部からなり，
前記内容器本体部は，前記開口部よりも大きい径を有しており，
前記内容器本体部の外面には，前記容器本体の内面に接するように突出する突部が複数箇所に形成されていることを特徴とする，多層容器。
【請求項２】
前記内容器本体部は，変形可能であることを特徴とする，請求項１に記載の多層容器。
【請求項３】
前記内容器本体部の周面及び底面に，前記突部が形成されており，内容器本体部の周面が容器本体の内面から所定の隙間を空けた状態に維持され，内容器本体部の底面が容器本体の底面から隙間を空けて持ち上げられた状態に維持されていることを特徴とする，請求項１又は２に記載の多層容器。
【請求項４】
前記内容器本体部の底面に形成された突部は，前記内容器内に内容物を入れていない状態では，容器本体の底面に接せず，内容器内に内容物を入れた状態で，はじめて容器本体の底面に接することを特徴とする，請求項３に記載の多層容器。
【請求項５】
前記内容器本体部の周面に，前記突部が複数箇所に形成されていることを特徴とする，請求項１，２，３又は４に記載の多層容器。
【請求項６】
前記内容器本体部の周面に，縦方向に伸びる複数の突部が形成されていることを特徴とする，請求項５に記載の多層容器。
【請求項７】
前記内容器本体部の周面に縦方向に伸びる凹部が形成されていることを特徴とする，請求項１，２，３，４，５又は６に記載の多層容器。
【請求項８】
前記内容器本体部の下部をテーパー面に形成したことを特徴とする，請求項１，２，３，４，５，６又は７に記載の多層容器。
【請求項９】
前記容器本体の開口部の内面と前記内容器の内開口部の外面の間に空気通路を形成したことを特徴とする，請求項１，２，３，４，５，６，７又は８に記載の多層容器。
【請求項１０】
前記容器本体と内容器の材質を同じにしたことを特徴とする，請求項１，２，３，４，５，６，７，８又は９に記載の多層容器。
【発明の詳細な説明】
【０００１】
本発明は，例えば錠剤などの内容物を衝撃から保護して収納する多層容器に関する。
【０００２】
【従来の技術】
一般に錠剤などを収納した容器では，開口部から樹脂シートなどの緩衝材を丸めて挿入して開口部をキャップで閉じ，錠剤等の内容物を緩衝材で押えることにより，内容物の移動を防止し，内容物の割れや欠けの防止を試みている。しかし，このような一般的な方法では，容器落下時の衝撃による割れや欠けなどの内容物の破損を完全には防止することができないので，容器を箱などに入れる等，緩衝効果のある更なる対策が必要となる。そこで，容器をいわゆる二重構造に構成したものとして，例えば特開２００１−３４１７７９号には，外容器内に弾性内容器を吊り下げた錠剤収納容器が開示されている。更に，特開２００１−１０６７２号などにも，化粧品などの内容物を衝撃から保護する多層容器が開示されている。
【０００３】
【特許文献１】
特開２００１−３４１７７９号公報
【特許文献２】
特開２００１−１０６７２号公報
【０００４】
【発明が解決しようとする課題】
従来の多層容器は，内容器を外容器内にスムーズに挿入できるように，内容器の外径が外容器の開口部の径と同じかもしくは小さいのが普通であった。このため従来の多層容器は，内容器の外径を大きくできないため，内容物の収納容積が著しく小さくなるという問題があった。また，キャップを外して開口させた際や内容物を取り出す際などに，内容器が外容器内から抜け出す心配もあった。
【０００５】
また従来の多層容器は，いずれも内容器を外容器内に吊り下げた構成であり，内容器が外容器内において動く構造であった。このため従来の多層容器は，衝撃などを受けた場合や容器の姿勢を倒した場合に，内部で宙吊り状態になっている内容器が揺れ動くことにより外容器内面に衝突し，そのショックで内容器内に収納している内容物を破損する恐れがあった。
【０００６】
従って本発明の目的は，内容物を衝撃からより確実に保護でき，収納容積も大きい多層容器を提供することにある。
【０００７】
【課題を解決するための手段】
この目的を達成するために，開口部にキャップを取り付けることにより密閉される容器本体の内部に内容器を配置した多層容器であって，前記内容器は，前記開口部の内側に配置される内開口部と，この内開口部よりも前記容器本体の内部に配置される内容器本体部からなり，前記内容器本体部は，前記開口部よりも大きい径を有しており，前記内容器本体部の外面には，前記容器本体の内面に接するように突出する突部が複数箇所に形成されていることを特徴とする，多層容器が提供される。
【０００８】
本発明の多層容器は，内容器本体部が容器本体の開口部よりも大きい径を有しており，内容器本体部が容器本体の内部において膨らんだ状態になっているので，内容物の収納容積を比較的大きく確保することができる。しかも，内容器本体部が容器本体の内部で膨らんでいるため，内容器が容器本体内から抜け出す心配もない。
【０００９】
また本発明の多層容器は，内容器本体部の外面に形成された突部が容器本体の内面に接しているため，突部によって内容器本体部は容器本体の内面から支えられた状態となっている。このため，容器本体の内部において内容器本体部が揺れ動くことが少なく，外部から受けた衝撃などを内容器内に収納している内容物にほとんど伝えることがない。また，突部によって内容器本体部と容器本体の内面との間に好適な隙間を保持できるようになる。
【００１０】
前記内容器本体部は，変形可能であることが好ましい。内容器本体部が変形可能であれば，内容器本体部を開口部に通すことができる大きさに収縮させて，容器本体内に内容器を挿入することができるので，多層容器の製作が容易となる。
【００１１】
前記内容器本体部の周面及び底面に，前記突部が形成されていることが好ましい。そうすれば，内容器本体部の周面及び底面と容器本体の内面との間に好適な隙間を保持でき，容器本体の内部において内容器本体部が安定し，内容物の破損が防止される。この場合，前記内容器本体部の底面に形成された突部は，前記内容器内に内容物を入れていない状態では，容器本体の底面に接せず，内容器内に内容物を入れた状態で，はじめて容器本体の底面に接するものであっても良い。なお，前記内容器本体部の周面には，前記突部が複数箇所に形成されていることが好ましい。また，前記内容器本体部の周面に，縦方向に伸びる複数の突部が形成されていても良い。
また，前記内容器本体部の周面に縦方向に伸びる凹部が形成されていても良く，前記内容器本体部の下部をテーパー面に形成しても良い。更に，前記容器本体の開口部の内面と前記内容器の内開口部の外面の間に空気通路を形成しても良い。
【００１２】
前記容器本体と内容器の材質は同じであることが好ましい。そうすれば，分別せずにそのまま廃棄できるといった利点がある。
【００１３】
【発明の実施の形態】
以下，本発明の好ましい実施の形態を，図面を参照にして説明する。
図１，２に示すように，この多層容器１は，外容器となる剛性の容器本体２の内部に内容器３を配置した構成を有する。この実施の形態では，内容器３の内部には，内容物としての錠剤ａが入れられている。
【００１４】
この実施の形態では，容器本体２はポリエチレンで構成される。容器本体２の上端は円筒形状をなす開口部１０となっており，この開口部１０にキャップ４を取り付けることにより，容器本体３の内部が密閉されている。開口部１０へのキャップ４の取り付けは，開口部１０の外周面に設けられた雄ねじ１１と，キャップ４の内周面に設けられた雌ねじ３１を利用して，脱着自在に行われる。
【００１５】
容器本体２において，開口部１０の下方には，末広がり形状の肩部１２を介して胴部１３が設けてある。この実施の形態では，容器本体２の胴部１３は略四角柱形状をなしている。また，容器本体２の下方（胴部１３の下方）は，底面１５によって塞がれている。
【００１６】
キャップ４において，天板３２の下方には，ホルダ３３が取り付けてある。このホルダ３３の底面には，適当箇所に穴３４が設けてある。そして，このホルダ３３の内部に脱臭剤や吸湿剤などを収納することにより，適宜必要に応じて内容物である錠剤ａの劣化を防ぐようにしている。
【００１７】
容器本体２と同様，内容器３の上端も円筒形状をなす内開口部２０となっており，この内開口部２０は容器本体２の開口部１０の内側に配置されるようになっている。図３に示すように，内開口部２０の上端部にはフランジ２１が取り付けてある。このフランジ２１の内側縁の下方には，容器本体２の開口部１０の上端内面に接する支持部２２が設けてあり，図１に示すように容器本体２の内部に内容器３を配置した際には，容器本体２の開口部１０上面にフランジ２１の下面が接するとともに，開口部１０の上部内面に支持部２２が接するようになっている。
【００１８】
また，容器本体２の開口部１０にキャップ４を取り付けた際には，キャップ４に取り付けられたホルダ３３が，内開口部２０内に挿入されるようになっている。
【００１９】
図３に示すように，内容器３において，内開口部２０の下方には，肩部２３，胴部２４及び底面２５からなる内容器本体部２６が形成されている。内開口部２０と胴部２４の間は末広がり形状の肩部２３によって接続されている。また，内容器３の下面（胴部２４の下面）は，底面２５によって塞がれている。
【００２０】
図１に示すように容器本体２の内部に内容器３を配置した際には，このように肩部２３，胴部２４及び底面２５からなる内容器本体部２６が，内開口部２０よりも容器本体２の内部に配置される。この実施の形態では，内容器３の胴部２４は略円柱形状をなしており，内容器本体部２６の直径（胴部２４の外径）は，容器本体２の開口部１０の直径（内径）よりも大きくなっている。
【００２１】
内容器３において，内容器本体部２６（胴部２４）の周面には，縦方向に伸びる複数のリブ状の突部２７が放射状に配置されて形成されている。また，内容器本体部２６の底面２５には，下向きに突出する突起２８が形成されている。
【００２２】
内容器本体部２６の周面に形成された複数の突部２７の先端は，容器本体２の胴部１３の内面に接触しており，内容器本体部２６の周面（胴部２４）は，容器本体２の胴部１３の内面から所定の隙間を空けた状態に維持されている。また同様に，内容器本体部２６の底面２５に形成された突起２８の下端は容器本体２の底面１５に接触しており，内容器本体部２６の底面２５は，容器本体２の底面１５から所定の隙間を空けて持ち上げられた状態に維持されている。これにより，内容器本体部２６の内部は，容器本体２の内面から隙間を維持した状態で保持されている。
【００２３】
この実施の形態では，内容器３も容器本体２と同様にポリエチレンで構成される。但し，前述の容器本体２が全体的に比較的肉厚に構成されて剛性を有するのに対して，内容器３は，少なくとも肩部２３，胴部２４及び底面２５からなる内容器本体部２６は，比較的肉薄に構成されており，内容器本体部２６は小さい力で変形可能である。
【００２４】
さて，この多層容器１を組み立てる場合，先ず，例えば内開口部２０を通じて内容器３の内部を吸引するなどし，変形可能に構成された内容器本体部２６を収縮させ，容器本体２の開口部１０に通すことができる大きさにする。そして，収縮させた内容器本体部２６を，開口部１０に通して容器本体２内に挿入する。
【００２５】
そして，このように内容器３を容器本体２の内部に挿入した後，例えば内開口部２０を通じて内容器３の内部に空気を吹き入れることにより，変形可能に構成された内容器本体部２６を，容器本体２の内部で膨らませ，多層容器１を容易に組み立てることができる。この場合，図１に示すように，内容器３の内開口部２０を容器本体２の開口部１０の内側に配置させ，容器本体２の開口部１０上面にフランジ２１の下面を接しさせるとともに，開口部１０の上部内面に支持部２２を接しさせるようにする。このように容器本体２の内部で内容器本体部２６を膨らませた際には，内容器本体部２６周面の突部２７の先端が容器本体２の胴部１３内面に接触して，内容器本体部２６の周面（胴部２４）は容器本体２の胴部１３内面から所定の隙間を空けた状態に維持され，内容器本体部２６底面２５の突起２８の下端が容器本体２の底面１５に接触して，内容器本体部２６の底面２５は容器本体２の底面１５から所定の隙間を空けて持ち上げられた状態に維持される。これにより，内容器本体部２６の内部は，容器本体２の内面から隙間を維持した状態で保持される。
【００２６】
こうして製作された多層容器１は，容器本体２の内部で膨らまされた内容器本体部２６が容器本体２の開口部１０よりも大きい径を有しているので，内容物である錠剤ａの収納容積を比較的大きく確保することができる。しかも，内容器本体部２６が容器本体２の内部で膨らんでいるため，内容器３が容器本体２内から抜け出す心配もない。また，内容器本体部２６の内部は，容器本体２の内面から隙間を維持した状態で保持されており，突部２７，２８で支持されることにより，容器本体２の内部において内容器本体部２６が不用意に動くことがなく，容器本体２の外部から受けた衝撃などを内容器３の内部に収納している錠剤ａにほとんど伝えることがない。
【００２７】
以上，本発明の好ましい実施の形態を例示したが，本発明は以上に説明した形態に限定されない。図４，５に示すように，内容器３の下部（胴部２４の下部）を，下に向って細くなる略円錐形状のテーパー面５０に構成しても良い。また，内容器本体部２６（胴部２４）の周面に形成された複数のリブ状の突部２７の間に，縦方向に伸びる凹部５１を形成することが好ましい。この場合，凹部５１は，各突部２７の間にそれぞれ設けても良いが，図４，５に示すように，複数の突部２７の数個置きに適当箇所に凹部５１を設けても良い。更に，凹部５１は一箇所のみに設けても良い。
【００２８】
このように内容器本体部２６（胴部２４）の周面に凹部５１を形成しておけば，多層容器１を組み立てる場合において，内開口部２０を通じて内容器３の内部を吸引した際に，内容器本体部２６（胴部２４）の周面が凹部５１に沿って折れ曲ることとなり，内容器本体部２６を細長い形状に収縮させることができるので，容器本体２の開口部１０に通しやすい。また，内容器３の下部（胴部２４の下部）が，下に向って細くなるテーパー面５０に構成されていれば，内容器本体部２６を容器本体２の開口部１０により容易に通しやすくなり，多層容器１の組み立てが更にしやすくなるといった利点がある。なお，内容器本体部２６を容器本体２の開口部１０に通す際に引っかからないように，内容器本体部２６の底面２５に形成される突起２８の幅（長さ）は，容器本体２の開口部１０の内径よりも小さいことが望ましい。
【００２９】
また，図３等においては，内容器３の内開口部２０の外周面にリング形状の支持部２２を形成する例を説明したが，図４に示すように，内容器３の内開口部２０の外周面に複数の突起５５を形成しても良い。このように内容器３の内開口部２０の外周面に突起５５を形成しておけば，容器本体２の内部に内容器３を配置した際に，図６，７に示すように，容器本体２の開口部１０の内周面に突起５５が当接することにより，各突起５５同士の隙間において，容器本体２の開口部１０の内周面と内容器３の内開口部２０の外周面の間に空気通路５６が形成され，開口部１０の内周面と内開口部２０の外周面が密着しなくなる。
【００３０】
このため，内容器３を容器本体２の内部に挿入した後，内開口部２０を通じて内容器３の内部に空気を吹き入れて，内容器本体部２６を容器本体２の内部で膨らませる際に，容器本体２の内部に残った空気（内容器３の外側の空気）が，これら空気通路５６を通じて外部に排気されやすくなる。これにより，多層容器１をより容易に組み立てることができるようになる。
【００３１】
なお，このような空気通路５６を容器本体２の開口部１０の内周面と内容器３の内開口部２０の外周面の間に形成させるために，内容器３の内開口部２０の外周面の代りに，容器本体２の開口部１０の内周面に同様の突起を形成しても良い。また，突起の代りに，容器本体２の開口部１０の内周面もしくは内容器３の内開口部２０の外周面に，空気が流通できる溝を形成することによって，容器本体２の内部に残った空気を外部に排気させるための空気通路を構成しても良い。
【００３２】
また，このように多層容器１を組み立てた場合，図８に示すように，内容器３の底面２５（内容器本体部２６の底面２５）に形成された突起２８は，内容器３内に内容物である錠剤ａをまだ入れていない状態では，容器本体２の底面１５に接せず，内容器３内に錠剤ａを入れた状態で，はじめて突起２８が容器本体２の底面１５に接するように構成しても良い。
【００３３】
また，図１では，容器本体２肩部１２の内側に内容器３の肩部２３が接している状態を示したが，多層容器１を組み立てた状態，あるいは，多層容器１を組み立てて内容器３内に錠剤ａを入れた状態で，容器本体２肩部１２の内側に内容器３の肩部２３が接せず，両者の間に適当な隙間が形成されるように構成しても良い。
【００３４】
また，容器本体２の胴部１３が四角柱形状のものについて説明したが，容器本体２の形状は円柱形状や，任意の多角形状などであっても良い。また，内容器本体部２６の周面（胴部２４）に形成される突部２７の形状や個数，内容器本体部２６の底面２５に形成される突起２８の形状や個数はいずれも任意であり，内容器本体部２６の内部を容器本体２の内面から隙間を維持した状態で保持可能なものであれば良い。但し，後述するように，突起２８の形状は，錠剤ａなどの内容物が保持されないような，取出しの障害とならない形状であることが好ましい。
【００３５】
また，図３に示したように，例えば内容器本体部２６の周面に複数の突部２７が形成されている場合は，全部の突部２７の先端が容器本体２の胴部１３の内面に接触していなくても良い。複数の突部２７の内，一部の突部２７の先端が容器本体２の胴部１３の内面に接触していることにより，内容器本体部２６の内部が容器本体２の内面から隙間を維持した状態で保持されれば足りる。
【００３６】
また，容器本体２の容積が一定であっても，突部２７，２８の高さを変えることによって，内容器本体部２６の内容積を調整できる。このため，同じ容器本体２を用いた場合でも，内容器本体部２６の内容積を変えることによって容積を調整することが可能である。
【００３７】
なお，内容器本体部２６の周面に形成された突部２７のように内容器本体部２６の胴部２４の壁面を膨出させた場合，突部２７内に内容物である錠剤ａが入り込む心配がある。そうすると，入り込んだ錠剤ａが引っかかって取れなくなる等の心配を生ずる。そのような問題を回避するために，突部２７を膨出させて形成する場合は，その幅を内容物である錠剤ａが入り込まない大きさにするか，あるいは，錠剤ａが引っかからないように十分な幅とすることが望ましい。
【００３８】
また，容器本体２と内容器３の材質は，実施の形態で説明したようなポリエチレンに限られず，その他，種々の材質で容器本体２と内容器３を構成することができる。容器本体２と内容器３の材質は，同じでなくても良い。例えば，内側に配置される内容器３として光を遮断できる濃い色に着色されたものを使用することにより，遮光性のある内容器３とすることもでき，外見は統一されていながら，様々な性能を持った多層容器１を提供できる。なお，容器本体２と内容器３の材質を同じにした場合は，分別せずにそのまま廃棄できるといった利点がある。
【００３９】
また，内容器３を容器本体２の内部に挿入した状態で，容器本体２の開口部１０に内容器３の内開口部２０を熱溶着させても良い。そうすれば，容器本体２の内部において内容器本体部２６の外側に空気層が形成され，クッションの役割を果たすことができる。また，容器本体２の内部において内容器本体部２６の外側にシリカゲルなどを配置して防湿効果を高めることも可能である。
【００４０】
本発明の多層容器に収納される内容物は錠剤に限られない。例えば化粧品などを収納する容器についても本発明を適用できる。
【００４１】
【発明の効果】
本発明によれば，内容物を衝撃からより確実に保護でき，収納容積も大きい多層容器を提供することができる。
【図面の簡単な説明】
【図１】本発明の実施の形態にかかる多層容器の部分断面図であり，中心線より右側の部分が縦断面図，左側の部分が正面図を示している。
【図２】図１におけるＸ−Ｘ横断面図である。
【図３】内容器の斜視図である。
【図４】本発明の他の実施の形態にかかる内容器の斜視図である。
【図５】図４におけるＹ−Ｙ横断面図である。
【図６】容器本体の開口部の内周面と内容器の内開口部の外周面の間に形成される空気通路の説明図である。
【図７】図６におけるＺ−Ｚ横断面図である。
【図８】内容器の底面の突起が容器本体の底面に接していない状態を示す部分断面図である。
【符号の説明】
ａ  錠剤
１  多層容器
２容器本体
３  内容器
４  キャップ
１０  開口部
１２  肩部
１３  胴部
１５  底面
２０  内開口部
２３  肩部
２４  胴部
２５  底面
２６  内容器本体部
２７，２８  突部
３３  ホルダ
５０  テーパー面
５１  凹部
５６  空気通路
【図１】
2004345709.tif 000003
【図２】
2004345709.tif 000004
【図３】
2004345709.tif 000005
【図４】
2004345709.tif 000006
【図５】
2004345709.tif 000007
【図６】
2004345709.tif 000008
【図７】
2004345709.tif 000009
【図８】
2004345709.tif 000010